(57)【要約】【課題】  装置の薄型化や軽量化を犠牲にせずに、音質を向上させることのできるスピーカ一体型のディスプレイ装置を提供する。【解決手段】  平面表示パネル２３を使用したスピーカ一体型のディスプレイ装置２０において、平面表示パネル２３及び駆動回路部２９を収容する第１の空間部３１を前面シャーシ２５との間に形成する背面シャーシ３３は、前面シャーシ２５の背面の一部が部品取り付け領域２５ｂとして第１の空間部３１の外部に露出する構造とし、部品取り付け領域２５ｂと背面シャーシ３３の外壁面との間に第１の空間部３１とは分離された第２の空間部３７を画成する背面追加シャーシ３９を装備し、第２の空間部３７にスピーカ３５を配設する。【選択図】        図５
2006254113.tif 000002
【特許請求の範囲】
【請求項１】
平面表示パネルと、前記平面表示パネルの前面に設けられ前記平面表示パネルの表示面を臨ませる開口を有した前面シャーシと、前記平面表示パネルの背面に敷設され前記平面表示パネルを駆動する駆動回路部と、前記前面シャーシの背面に取着され、前記平面表示パネル及び前記駆動回路部を収納する第1の空間部を前記前面シャーシとの間に画成した背面シャーシと、前面シャーシに組み付けられるスピーカとを備えたスピーカ一体型のディスプレイ装置であって、
前記背面シャーシは、前記第１の空間部の外部に前記前面シャーシの背面の一部が部品取り付け領域として露出するように、前記前面シャーシの一部領域を覆った構造とすると共に、
前記第１の空間部の外部に露出した前記前面シャーシの背面の前記部品取り付け領域と該部品取り付け領域に隣接する背面シャーシの外壁面とによって、前記第１の空間部とは分離された第２の空間部を画成する背面追加シャーシを装備し、
前記第２の空間部に、前記スピーカを配設したことを特徴とするディスプレイ装置。
【請求項２】
前記第１の空間部内における前記駆動回路部の敷設域を、前記部品取り付け領域に接近した領域である近接領域と、前記部品取り付け領域から離れた領域である非近接領域とに区分し、前記駆動回路部を構成する複数の回路基板の内、高さ寸法の大きな回路基板は前記非近接領域に敷設し、高さ寸法の小さな回路基板は前記近接領域に敷設し、
前記背面シャーシには、高さ寸法の小さな回路基板を覆う部位の壁面高さを、高さ寸法の大きな回路基板を覆う部位の壁面高さよりも低くすることで、前記部品取り付け領域に隣接する凹みを形成し、
前記背面追加シャーシは、前記凹みが前記第２の空間部の一部となるように、前記部品取り付け領域及び前記凹みの上を覆うことを特徴とする請求項１に記載のディスプレイ装置。
【請求項３】
前記第１の空間部内における前記駆動回路部の敷設域は、前記平面表示パネルの占有域の内、前記部品取り付け領域に接近する領域を除く一部領域に限定し、
前記背面シャーシの前記駆動回路部が敷設されない領域の上を覆う壁面は、第１の空間部内に余分な空き空間が残らないように、凹みを形成し、
前記背面追加シャーシは、前記凹みが前記第２の空間部の一部となるように、前記部品取り付け領域及び前記凹みの上を覆うことを特徴とする請求項１に記載のディスプレイ装置。
【請求項４】
前記第２の空間部は前記平面表示パネルを形成する複数の辺のうちの少なくとも１つの辺に隣接して形成されることを特徴とする請求項１乃至３のいずれか一項に記載のディスプレイ装置。
【請求項５】
前記前面シャーシの前端から前記背面シャーシの後端面までの奥行き寸法と、前記前面シャーシの前端から前記背面追加シャーシの後端面までの奥行き寸法とを、略同一としたことを特徴とする請求項１乃至４のいずれか一項に記載のディスプレイ装置。
【請求項６】
平面表示パネルと、前記平面表示パネルの前面に設けられ前記平面表示パネルの表示面を臨ませる開口を有した前面シャーシと、前記平面表示パネルの背面に敷設され前記平面表示パネルを駆動する駆動回路部と、前記前面シャーシの背面に取着され、前記平面表示パネル及び前記駆動回路部を収納する第1の空間部を前記前面シャーシとの間に画成した背面シャーシと、前面シャーシに組み付けられるスピーカユニットとを備えたスピーカ一体型のディスプレイ装置であって、
前記スピーカユニットは、スピーカと、前記スピーカが取り付けられたエンクロージャとからなり、
前記背面シャーシは、前記第１の空間部の外部に前記前面シャーシの背面の一部が部品取り付け領域として露出するように、前記前面シャーシの一部領域を覆った構造とすると共に、
前記第１の空間部の外部に露出した前記前面シャーシの背面の前記部品取り付け領域と該部品取り付け領域に隣接する背面シャーシの外壁面とによって、前記第１の空間部とは分離された第２の空間部を形成し、
前記第２の空間部に、前記スピーカユニットを配設したことを特徴とするディスプレイ装置。
【請求項７】
前記第１の空間部内における前記駆動回路部の敷設域を、前記部品取り付け領域に接近した領域である近接領域と、前記部品取り付け領域から離れた領域である非近接領域とに区分し、前記駆動回路部を構成する複数の回路基板の内、高さ寸法の大きな回路基板は前記非近接領域に敷設し、高さ寸法の小さな回路基板は前記近接領域に敷設し、
前記背面シャーシには、高さ寸法の小さな回路基板を覆う部位の壁面高さを、高さ寸法の大きな回路基板を覆う部位の壁面高さよりも低くすることで、前記部品取り付け領域に隣接する凹みを形成し、
前記スピーカユニットは、前記凹みに前記エンクロージャの一部が挿設されて前記第２の空間部に配設されたことを特徴とする請求項６に記載のディスプレイ装置。
【請求項８】
前記第１の空間部内における前記駆動回路部の敷設域は、前記平面表示パネルの占有域の内、前記部品取り付け領域に接近する領域を除く一部領域に限定し、
前記背面シャーシの前記駆動回路部が敷設されない領域の上を覆う壁面は、第１の空間部内に余分な空き空間が残らないように、凹みを形成し、
前記スピーカユニットは、前記凹みに前記エンクロージャの一部が挿設されて前記第２の空間部に配設されたことを特徴とする請求項６に記載のディスプレイ装置。
【請求項９】
前記第２の空間部は前記平面表示パネルを形成する複数の辺のうちの少なくとも１つの辺に隣接して形成されることを特徴とする請求項６乃至８のいずれか一項に記載のディスプレイ装置。
【請求項１０】
前記前面シャーシの前端から前記背面シャーシの後端面までの奥行き寸法と、前記前面シャーシの前端から前記スピーカユニットの後端面までの奥行き寸法とを、略同一としたことを特徴とする請求項６乃至９のいずれか一項に記載のディスプレイ装置。
【発明の詳細な説明】
【技術分野】
【０００１】
本発明は、スピーカユニットを備えた平面型のディスプレイ装置に関する。
【背景技術】
【０００２】
ブラウン管の変わりに平面表示パネルを使用した平面型のディスプレイ装置、例えば、プラズマディスプレイ（ＰＤＰ：plasma display panel）、エレクトロルミネッセンスディスプレイ（ＥＬＤ：electroluminescence display）、液晶ディスプレイ（ＬＣＤ：liquid crystal display）などは、表示画面の大きさに対して奥行き寸法を小さく抑えることができるため、急速な普及を見せている。
【０００３】
従来のこのようなディスプレイ装置は、スピーカの装備形態によって、２つに大別することができる。
一つは、ディスプレイ装置内にスピーカを組み込んだスピーカ一体型のものであり、他の一つは、スピーカユニットがディスプレイ装置とは別体の専用のスピーカキャビネットに収容されたスピーカ外付け型のものである。
【０００４】
ところで、スピーカは、良好な音質の再生を実現するためには、所定の容量を有したスピーカキャビネット（エンクロージャ）に収容して、スピーカ背面から放射される音がスピーカ前面側に漏れないようにすることが必要である。
【０００５】
スピーカ外付け型のディスプレイ装置の場合は、スピーカを取り付けるエンクロージャを自由に設定できるため、高音質化が容易にできるメリットがある。しかし、その反面、装置設置時に、スピーカシステムとディスプレイ装置との間のケーブル接続等の作業が必要となり、取り扱いが面倒になるという問題があった。また、スピーカシステムの設置のために、大きな設置スペースが必要となるという問題もある。
【０００６】
一方、スピーカ一体型のディスプレイ装置の場合は、装置設置時に、スピーカシステムとディスプレイ装置との間のケーブル接続等の作業が不要のため、取り扱い性が良い。また、スピーカ外付け型と比較すると、設置スペースも小さくて済む。
しかし、スピーカを取り付けるエンクロージャの確保が難しく、高音質化が難しいという問題がある。
【０００７】
図１及び図２は、スピーカ一体型のディスプレイ装置の従来例を示したものである。
このディスプレイ装置１は、枠状の前面シャーシ２と、該前面シャーシ２の前面開口に嵌め込まれるように取着されたプラズマディスプレイパネル等の平面表示パネル３と、該平面表示パネル３の背面に取着され、これを駆動する図示せぬ駆動回路部と、該駆動回路部及び平面表示パネル３の背面をブリッジ状に上下に掛け渡すように設けられた２つのサポートシャーシ４、４と、上記前面シャーシ２の下部であってその背面の左右両端部に配設された２つのスピーカ５、５と、上記平面表示パネル３及び駆動回路部を背面側から覆う隔壁板６と、該隔壁板６及び２つのスピーカ５、５を背面から覆う背面シャーシ７と、これらを支えるスタンド８とを有する（例えば、特許文献１参照）。
【０００８】
前面シャーシ２の下部背面と隔壁板６と背面シャーシ７とで画成した空間９が、スピーカ５を収容するエンクロージャとなっている。
【０００９】
【特許文献１】特開２００３−１７４６９２号公報
【発明の開示】
【発明が解決しようとする課題】
【００１０】
ところが、図１及び図２に示したスピーカ一体型のディスプレイ装置１では、エンクロージャとなる空間９が、平面表示パネル３の背面の略全域に及ぶ広い面積を持っていて、この空間９を画成している背面シャーシ７や隔壁板６に十分な強度を確保しないと、スピーカ５の背面側の音圧によって背面シャーシ７や隔壁板６にビビリ振動が発生して、音質が劣化するという問題があった。
【００１１】
また、隔壁板６や背面シャーシ７は、平面表示パネル３の背面全域を覆う大きな部品のため、厚肉化等によって強度の向上を図ると、装置の重量化への影響が大きく、装置の軽量化を損なう要因となった。少しでも軽量化するため、隔壁板６を省略して、前面シャーシ２と背面シャーシ７とで画成される空間内の空きスペースをそのままエンクロージャとして利用する構成も考えられるが、隔壁板６を省略すると、駆動回路部から発生するノイズが同空間に存在するスピーカに伝送されて、更に音質を悪化させる虞がある。
【００１２】
また、上記ディスプレイ装置１では、図２に示したように、装置の奥行き寸法Ｄは、平面表示パネル３や駆動回路部の収容に必要最小限の基準奥行き寸法ｄ１の後方に、エンクロージャとなる空間９の厚さ寸法ｄ２を加算した寸法となり、エンクロージャとしての厚さ寸法ｄ２のために、装置の奥行き寸法Ｄが大きくなって、装置の薄型化が阻害されるという問題も生じた。
【００１３】
本発明が解決しようとする課題（目的）としては、取り扱い性等で優れるスピーカ一体型のディスプレイ装置であって、装置の薄型化や軽量化を犠牲にせずに、音質を向上させることのできるディスプレイ装置を提供することがその一例として挙げられる。
【課題を解決するための手段】
【００１４】
請求項１に記載のディスプレイ装置は、平面表示パネルと、前記平面表示パネルの前面に設けられ前記平面表示パネルの表示面を臨ませる開口を有した前面シャーシと、前記平面表示パネルの背面に敷設され前記平面表示パネルを駆動する駆動回路部と、前記前面シャーシの背面に取着され、前記平面表示パネル及び前記駆動回路部を収納する第1の空間部を前記前面シャーシとの間に画成した背面シャーシと、前面シャーシに組み付けられるスピーカユニットとを備えたスピーカ一体型のディスプレイ装置であって、前記背面シャーシは、前記第１の空間部の外部に前記前面シャーシの背面の一部が部品取り付け領域として露出するように、前記前面シャーシの一部領域を覆った構造とすると共に、前記第１の空間部の外部に露出した前記前面シャーシの背面の部品取り付け領域と該部品取り付け領域に隣接する背面シャーシの外壁面との間に、前記第１の空間部とは分離された第２の空間部を画成する背面追加シャーシを装備し、前記第２の空間部に、スピーカユニットを配設したことを特徴とする。
【００１５】
請求項６に記載のディスプレイ装置は、平面表示パネルと、前記平面表示パネルの前面に設けられ前記平面表示パネルの表示面を臨ませる開口を有した前面シャーシと、前記平面表示パネルの背面に敷設され前記平面表示パネルを駆動する駆動回路部と、前記前面シャーシの背面に取着され、前記平面表示パネル及び前記駆動回路部を収納する第1の空間部を前記前面シャーシとの間に画成した背面シャーシと、前面シャーシに組み付けられるスピーカユニットとを備えたスピーカ一体型のディスプレイ装置であって、前記スピーカユニットは、スピーカと、前記スピーカが取り付けられたエンクロージャとからなり、前記背面シャーシは、前記第１の空間部の外部に前記前面シャーシの背面の一部が部品取り付け領域として露出するように、前記前面シャーシの一部領域を覆った構造とすると共に、前記第１の空間部の外部に露出した前記前面シャーシの背面の前記部品取り付け領域と該部品取り付け領域に隣接する背面シャーシの外壁面とによって、前記第１の空間部とは分離された第２の空間部を形成し、前記第２の空間部に、前記スピーカユニットを配設したことを特徴とする。
【発明を実施するための最良の形態】
【００１６】
以下、本発明に係るディスプレイ装置の好適な実施の形態について、図面を参照して詳細に説明する。
図３は本発明に係るディスプレイ装置（第１の実施の形態または第２の実施の形態）の背面側から見た斜視図、図４は図３に示したディスプレイ装置（第１の実施の形態または第２の実施の形態）の側面図、図５は図３に示したディスプレイ装置の第１の実施の形態のＡ−Ａ線に沿う縦断面図、図６は図３に示したディスプレイ装置の第１の実施の形態のＢ−Ｂ線に沿う断面図である。
【００１７】
（第１の実施の形態）
第１の実施の形態のディスプレイ装置２０は、プラズマディスプレイパネル等の平面表示パネル２３と、平面表示パネル２３の前面に設けられ平面表示パネル２３の表示面２３ａを臨ませる開口２５ａを有した前面シャーシ２５と、開口２５ａにはめ込まれて平面表示パネル２３の表面を保護する透明な前面フィルタ２７と、平面表示パネル２３の背面に敷設され平面表示パネル２３を駆動する駆動回路部２９と、前面シャーシ２５の背面に取着されて平面表示パネル２３及び駆動回路部２９を収納する第１の空間部３１を前面シャーシ２５との間に画成した背面シャーシ３３と、前面シャーシ２５に組み付けられる左右一対のスピーカ３５，３５とを備えたスピーカ一体型のディスプレイ装置である。
【００１８】
本実施の形態の場合、前記背面シャーシ３３は、第１の空間部３１の外部に前面シャーシ２５の背面の一部が部品取り付け領域２５ｂとして露出するように、前面シャーシ２５の部品取り付け領域２５ｂを除いた領域を覆っている。
部品取り付け領域２５ｂは、スピーカ３５を取り付ける部位で、本実施の形態では、平面表示パネル２３の下辺に隣接するように、前面シャーシ２５の下辺の両端に設定されている。
【００１９】
平面表示パネル２３は、図示せぬ支持部材によって、前面シャーシ２５及び背面シャーシ３３により画成された第１の空間部３１内に取り付けられている。
【００２０】
駆動回路部２９は、図面の便宜上、単純な矩形構造で示したが、所定の回路部品を搭載した複数個の回路基板から構成されている。駆動回路部２９を構成する複数個の回路基板は、平面表示パネル２３の背面に沿って平面状に敷き並べた状態に敷設される。また、必要に応じて、装置の奥行き方向に多段の積層構造に敷設される。
また、図では、駆動回路部２９は、平面表示パネル２３及び背面シャーシ３３にすべての面で接した状態図となっているが、実際には隙間があったり、殆どの部分で背面シャーシ３３や平面表示パネル２３に対してクリアランスが設けられている。
【００２１】
本実施の形態の場合、各部品取り付け領域２５ｂとこれらの部品取り付け領域２５ｂに隣接する背面シャーシ３３の外壁面とによって、第１の空間部３１とは分離された第２の空間部３７を画成する背面追加シャーシ３９が装備されている。そして、第２の空間部３７に、スピーカ３５が配設されている。
【００２２】
駆動回路部２９を構成する複数個の回路基板は、通常、高さ寸法が不揃いである。従来の場合は、これらの回路基板の高さの不揃いは特に問題視せず、高さ寸法の一番大きな回路基板を基準に、背面シャーシ３３の壁面高さを略全域に渡って一定に設定している。
しかし、本実施の形態の場合は、第１の空間部３１内における前記駆動回路部２９の敷設域を、部品取り付け領域２５ｂに接近した領域である近接領域４１と、部品取り付け領域２５ｂから離れた領域である非近接領域４３とに区分し、取り扱いを変えている。
具体的には、駆動回路部２９を構成する複数の回路基板の内、高さ寸法の大きな回路基板は非近接領域４３に敷設し、高さ寸法の小さな回路基板は近接領域４１に敷設している。
【００２３】
このように、回路基板の敷設位置を高さ寸法によって調整することで、近接領域４１では、駆動回路部２９による実質的な占有高さが、非近接領域４３よりも小さくなる。
そこで、背面シャーシ３３には、高さ寸法の小さな回路基板を覆う部位の壁面高さを、高さ寸法の大きな回路基板を覆う部位の壁面高さよりも低くすることで、部品取り付け領域２５ｂに隣接する凹み４５を形成している。
【００２４】
そして、背面追加シャーシ３９は、凹み４５が第２の空間部３７の一部となるように、部品取り付け領域２５ｂ及び凹み４５の上を覆っている。
【００２５】
本実施の形態の場合、図５に示すように、背面追加シャーシ３９の装置奥行き方向の壁面高さｈ１が、背面シャーシ３３の高さ寸法の大きな回路基板上を覆う部位の壁面高さｈ２に略面一に揃うように、設定されている。
従って、前面シャーシ２５の前端から背面シャーシ３３の最後端面までの奥行き寸法Ｄ１と、前面シャーシ２５の前端から背面追加シャーシ３９の最後端面までの奥行き寸法Ｄ２とが、略同一となっている。
【００２６】
以上に説明したディスプレイ装置２０では、前面シャーシ２５の部品取り付け領域２５ｂと、この部品取り付け領域２５ｂに隣接する背面シャーシ３３の外壁面と、背面追加シャーシ３９とで画成した第２の空間部３７が、スピーカ３５を収容する専用のエンクロージャとなる。
そして、第２の空間部３７は、駆動回路部２９を収容する第１の空間部３１と分離された独立空間となっているため、エンクロージャとして必要な気密性等の確保が容易であり、また、駆動回路部２９から発生するノイズが第２の空間部３７に侵入してスピーカに伝送されることも防止でき、音質を向上させることができる。
【００２７】
また、スピーカ３５のエンクロージャとなる第２の空間部３７は、平面表示パネル２３の背面に沿って、第１の空間部３１の外周に並ぶ構成となるため、第１の空間部３１の後方に重なるようにエンクロージャとなる空間を形成していた従来の場合と比較すると、装置奥行き方向への寸法増大を抑えることができ、装置の薄型化を図ることができる。
【００２８】
また、エンクロージャとなる第２の空間部３７が第１の空間部３１の外周に並ぶ構成となるため、第１の空間部３１の後方に重なるようにエンクロージャとなる空間を形成していた従来の場合と比較すると、背面シャーシ３３上への音圧の作用面積が小さく、音圧によるビビリ等を防止するために、大型部品である背面シャーシ３３の全体を厚肉化等によって強度アップさせるような無駄を無くして、軽量化を図ることもできる。
即ち、取り扱い性等で優れるスピーカ一体型のディスプレイ装置において、装置の薄型化や軽量化を犠牲にせずに、音質を向上させることができる。
【００２９】
また、本実施の形態のディスプレイ装置２０では、第１の空間部３１を形成する背面シャーシ３３は、高さ寸法の小さな回路基板を収容する部位の壁面高さを下げることで形成した凹み４５が、スピーカ３５を収容する第２の空間部３７の一部として有効に活用され、エンクロージャとしての第２の空間部３７の容積を稼ぐことができるため、エンクロージャ内での性能確保が容易になり、それにより音質をさらに向上させることができる。
【００３０】
更に、本実施の形態のディスプレイ装置２０では、平面表示パネル２３の下辺に隣接させて、平面表示パネル２３の下辺両端に第２の空間部３７を装備し、それぞれの第２の空間部３７にスピーカ３５を組み込むことで、装置の左右からバランス良く再生音が広がるステレオ再生システムを、効率の良い実装効率で実現することができる。
なお、第２の空間部３７を装備する位置は、駆動回路部２９の敷設領域によっては、平面表示パネル２３の上辺又は側辺に設定することもでき、更に、第２の空間部３７の装備箇所を３箇所以上に増やして、組み込むスピーカ３５の数量を増やすことで、ホームシアターシステム等に好適なマルチチャンネルスピーカシステムを構築することもできる。
【００３１】
更に、本実施の形態のディスプレイ装置２０では、背面シャーシ３３と背面追加シャーシ３９の奥行き寸法を揃えていて、スピーカ３５を収容する第２の空間部３７のために背面追加シャーシ３９が後方に出っ張ることがないため、装置後面を平坦で、すっきりとしたデザインに仕上げて、意匠性を向上させると同時に、装置の設置性を向上させることができる。
【００３２】
図７は、第１の実施の形態の変形例を示す縦断面図である。
本変形例のディスプレイ装置５０の場合は、第１の空間部３１内における駆動回路部２９の敷設域は、平面表示パネル２３の占有域の内、部品取り付け領域２５ｂに接近する領域を除く一部領域５３のみに限定し、この一部領域５３を除く領域の上を覆う壁面（即ち、背面シャーシ３３の駆動回路部２９が敷設されない領域の上を覆う壁面）は、第１の空間部３１内に余分な空き空間が残らないように、凹み４５に形成している。
そして、背面追加シャーシ３９は、凹み４５が前記第２の空間部３７の一部となるように、部品取り付け領域２５ｂ及び凹み４５の上を覆う構造としている。
【００３３】
このディスプレイ装置５０では、平面表示パネル２３の背面における駆動回路部２９の敷設域が狭ければ、その分、第１の空間部３１の容積を縮めて、第２の空間部３７の容積増加を図ることができ、エンクロージャとしての第２の空間部３７の容積を稼ぐことが更に容易になり、エンクロージャとしての容積増大によって、音質の向上が図り易くなる。
【００３４】
（第２の実施の形態）
図８及び図９は、図３に示したディスプレイ装置の第２の実施の形態のＡ−Ａ線に沿う縦断面図であり、図８はスピーカユニットを嵌め込む前の状態、図９はスピーカユニットを嵌め込んだ後の状態を示す図である。
【００３５】
（第２の実施の形態）
図３及び図９に示すように第２の実施の形態のディスプレイ装置６０は、プラズマディスプレイパネル等の平面表示パネル２３と、平面表示パネル２３の前面に設けられ平面表示パネル２３の表示面２３ａを臨ませる開口２５ａを有した前面シャーシ２５と、開口２５ａにはめ込まれて平面表示パネル２３の表面を保護する透明な前面フィルタ２７と、平面表示パネル２３の背面に敷設され平面表示パネル２３を駆動する駆動回路部２９と、前面シャーシ２５の背面に取着されて平面表示パネル２３及び駆動回路部２９を収納する第１の空間部３１を前面シャーシ２５との間に画成した背面シャーシ３３と、前面シャーシ２５に組み付けられる左右一対のスピーカユニット４０，４０とを備えたスピーカ一体型のディスプレイ装置である。
【００３６】
第２の実施の形態は、前述の第１の実施の形態と同様に、背面シャーシ３３は、第１の空間部３１の外部に前面シャーシ２５の背面の一部が部品取り付け領域２５ｂとして露出するように、前面シャーシ２５の部品取り付け領域２５ｂを除いた領域を覆っている。
部品取り付け領域２５ｂは、スピーカユニット４０を取り付ける部位で、本実施の形態では、平面表示パネル２３の下辺に隣接するように、前面シャーシ２５の下辺の両端に設定されている。
平面表示パネル２３は、図示せぬ支持部材によって、前面シャーシ２５及び背面シャーシ３３により画成された第１の空間部３１内に取り付けられている。
【００３７】
駆動回路部２９は、図面の便宜上、単純な矩形構造で示したが、所定の回路部品を搭載した複数個の回路基板から構成されている。駆動回路部２９を構成する複数個の回路基板は、平面表示パネル２３の背面に沿って平面状に敷き並べた状態に敷設される。また、必要に応じて、装置の奥行き方向に多段の積層構造に敷設される。
また、図では、駆動回路部２９は、平面表示パネル２３及び背面シャーシ３３にすべての面で接した状態図となっているが、実際には隙間があったり、殆どの部分で背面シャーシ３３や平面表示パネル２３に対してクリアランスが設けられている。
【００３８】
第２の実施の形態のディスプレイ装置６０の本体６０ａは、図８に示すように、各部品取り付け領域２５ｂとこれらの部品取り付け領域２５ｂに隣接する背面シャーシ３３の外壁面とによって、第１の空間部３１とは分離された第２の空間部３７を画成している。スピーカユニット４０は、スピーカ３５と、スピーカ３５が取り付けられたエンクロージャ３６とからなり、ディスプレイ装置６０の本体６０ａとは独立している。
そして、図９に示すように、ディスプレイ装置６０の本体６０ａの第２の空間部３７に、スピーカユニット４０を嵌め込んで組み付けられることにより、ディスプレイ装置６０が形成される。
なお、ディスプレイ装置６０の本体６０ａのその他の構造は、前述の第１の実施の形態と同様である。
【００３９】
以上説明したように、第２の実施の形態のディスプレイ装置６０では、第２の空間部３７にスピーカユニット４０を嵌め込んで組み付けられる構造となっている。このように、スピーカユニット４０は、独立した構造となっているので、駆動回路部２９から発生するノイズがエンクロージャ３６内に侵入してスピーカ３５に伝送されることも防止でき、音質を向上させることができる。
【００４０】
また、スピーカユニット４０は、平面表示パネル２３の背面に沿って、第１の空間部３１の外周に並ぶ構成となるため、第１の空間部３１の後方に重なるようにエンクロージャとなる空間を形成していた従来の場合と比較すると、装置奥行き方向への寸法増大を抑えることができ、装置の薄型化を図ることができる。
【００４１】
また、スピーカユニット４０が第１の空間部３１の外周に並ぶ構成となるため、第１の空間部３１の後方に重なるようにエンクロージャとなる空間を形成していた従来の場合と比較すると、背面シャーシ３３上への音圧の作用面積が小さく、音圧によるビビリ等を防止するために、大型部品である背面シャーシ３３の全体を厚肉化等によって強度アップさせるような無駄を無くして、軽量化を図ることもできる。
即ち、取り扱い性等で優れるスピーカ一体型のディスプレイ装置において、装置の薄型化や軽量化を犠牲にせずに、音質を向上させることができる。
【００４２】
また、第２の実施の形態のディスプレイ装置６０では、第１の空間部３１を形成する背面シャーシ３３は、高さ寸法の小さな回路基板を収容する部位の壁面高さを下げることで形成した凹み４５が、第２の空間部３７の一部として有効に活用され、この第２の空間部３７に嵌め込んで組み付けられるスピーカユニット４０のエンクロージャ３６の容積を稼ぐことができるため、スピーカユニット４０の性能確保が容易になり、それにより音質をさらに向上させることができる。
【００４３】
なお、第２の実施の形態のディスプレイ装置６０は、その本体６０ａを第１の実施の形態の一変形例として示した図７と同様の構造としてもよい。
また、第２の実施の形態のディスプレイ装置６０の他の変形例として、スピーカユニット４０のエンクロージャ３６の背面をさらに追加した背面シャーシで覆うような構成としてもよい。この変形例の構成により、さらなる強度アップをはかることができ、スピーカユニット４０を覆い、ディスプレイ装置６０の背面をすっきりとした外観にすることができるなど、意匠性を良くすることもできる。
【００４４】
なお、本発明に係るディスプレイ装置で使用する平面表示パネルとしては、上記第１の実施の形態及び第２の実施の形態で説明したプラズマディスプレイパネルの他、エレクトロルミネッセンスディスプレイパネル、液晶ディスプレイパネル、等が該当する。
【００４５】
以上、詳述したように、本発明の第１の実施の形態に係るディスプレイ装置２０は、平面表示パネル２３と、平面表示パネル２３の前面に設けられ平面表示パネル２３の表示面を臨ませる開口を有した前面シャーシ２５と、平面表示パネル２３の背面に敷設され平面表示パネル２３を駆動する駆動回路部２９と、前面シャーシの２５の背面に取着され、平面表示パネル２３及び駆動回路部２９を収納する第1の空間部３１を前面シャーシ２５との間に画成した背面シャーシ３３と、前面シャーシ２５に組み付けられるスピーカ３５とを備え、背面シャーシ３３は、第１の空間部３１の外部に前面シャーシ２５の背面の一部が部品取り付け領域として露出するように、前面シャーシ２５の一部領域を覆った構造とすると共に、第１の空間部３１の外部に露出した前面シャーシ２５の背面の部品取り付け領域と該部品取り付け領域に隣接する背面シャーシ３３の外壁面とによって、第１の空間部３１とは分離された第２の空間部３７を画成する背面追加シャーシ３９を装備し、第２の空間部３７に、スピーカ３５を配設した。
このように、第２の空間部は、駆動回路部を収容する第1の空間部と分離された独立空間となっているため、エンクロージャとして必要な気密性等の確保が容易であり、また、駆動回路部から発生するノイズが第２の空間部に侵入してスピーカに伝送されることも防止でき、音質を向上させることができる。
また、スピーカのエンクロージャとなる第２の空間部は、平面表示パネルの背面に沿って、第１の空間部の外周に並ぶ構成となるため、第１の空間部の後方に重なるようにエンクロージャとなる空間を形成していた従来の場合と比較すると、装置奥行き方向への寸法増大を抑えることができ、装置の薄型化を図ることができる。
また、エンクロージャとなる第２の空間部が第１の空間部の外周に並ぶ構成となるため、第１の空間部の後方に重なるようにエンクロージャとなる空間を形成していた従来の場合と比較すると、背面シャーシ上への音圧の作用面積が小さく、音圧によるビビリ等を防止するために、大型部品である背面シャーシの全体を厚肉化等によって強度アップさせるような無駄を無くして、軽量化を図ることもできる。
即ち、取り扱い性等で優れるスピーカ一体型のディスプレイ装置において、装置の薄型化や軽量化を犠牲にせずに、音質を向上させることができる。
【００４６】
また、本発明の第２の実施の形態に係るディスプレイ装置６０は、平面表示パネル２３と、平面表示パネル２３の前面に設けられ平面表示パネル２３の表示面を臨ませる開口を有した前面シャーシ２５と、平面表示パネル２３の背面に敷設され平面表示パネル２３を駆動する駆動回路部２９と、前面シャーシ２５の背面に取着され、平面表示パネル２３及び駆動回路部２９を収納する第1の空間部３１を前面シャーシ２５との間に画成した背面シャーシ３３と、前面シャーシ２５に組み付けられるスピーカユニット４０とを備え、スピーカユニット４０は、スピーカ３５と、スピーカ３５が取り付けられたエンクロージャ３６とからなり、背面シャーシ３３は、第１の空間部３１の外部に前面シャーシ２５の背面の一部が部品取り付け領域として露出するように、前面シャーシ２５の一部領域を覆った構造とすると共に、第１の空間部３１の外部に露出した前面シャーシ２５の背面の部品取り付け領域と該部品取り付け領域に隣接する背面シャーシ３３の外壁面とによって、第１の空間部３１とは分離された第２の空間部３７を形成し、第２の空間部３７に、スピーカユニット４０を配設した。
このように、第２の空間部にスピーカユニットを嵌め込んで組み付けられる構造となっており、スピーカユニットが独立しているので、駆動回路部から発生するノイズがエンクロージャ内に侵入してスピーカに伝送されることも防止でき、音質を向上させることができる。
また、スピーカユニットは、平面表示パネルの背面に沿って、第１の空間部の外周に並ぶ構成となるため、第１の空間部の後方に重なるようにエンクロージャとなる空間を形成していた従来の場合と比較すると、装置奥行き方向への寸法増大を抑えることができ、装置の薄型化を図ることができる。
また、スピーカユニットが第１の空間部の外周に並ぶ構成となるため、第１の空間部の後方に重なるようにエンクロージャとなる空間を形成していた従来の場合と比較すると、背面シャーシ上への音圧の作用面積が小さく、音圧によるビビリ等を防止するために、大型部品である背面シャーシの全体を厚肉化等によって強度アップさせるような無駄を無くして、軽量化を図ることもできる。
即ち、取り扱い性等で優れるスピーカ一体型のディスプレイ装置において、装置の薄型化や軽量化を犠牲にせずに、音質を向上させることができる。
【図面の簡単な説明】
【００４７】
【図１】従来のスピーカ一体型のディスプレイ装置の分解斜視図である。
【図２】図１に示したディスプレイ装置の縦断面図である。
【図３】本発明に係るディスプレイ装置の第１の実施の形態または第２の実施の形態の背面側から見た斜視図である。
【図４】図３に示したディスプレイ装置の側面図である。
【図５】図３に示したディスプレイ装置（第１の実施の形態）のＡ−Ａ線に沿う縦断面図である。
【図６】図３に示したディスプレイ装置（第１の実施の形態）のＢ−Ｂ線に沿う断面図である。
【図７】本発明に係るディスプレイ装置の第１の実施の形態における変形例の縦断面図である。
【図８】図３に示したディスプレイ装置（第２の実施の形態）のＡ−Ａ線に沿う縦断面図であり、スピーカユニットを嵌め込む前の状態を示す図である。
【図９】図３に示したディスプレイ装置（第２の実施の形態）のＡ−Ａ線に沿う縦断面図であり、スピーカユニットを嵌め込んだ後の状態を示す図である。
【符号の説明】
【００４８】
２０，５０，６０  ディスプレイ装置
２３  平面表示パネル
２５  前面シャーシ
２９  駆動回路部
３１  第１の空間部
３３  背面シャーシ
３５  スピーカ
３６  エンクロージャ
３７  第２の空間部
３９  背面追加シャーシ
４０  スピーカユニット
４１  近接領域
４３  非近接領域
４５  凹み
【図１】
2006254113.tif 000003
【図２】
2006254113.tif 000004
【図３】
2006254113.tif 000005
【図４】
2006254113.tif 000006
【図５】
2006254113.tif 000007
【図６】
2006254113.tif 000008
【図７】
2006254113.tif 000009
【図８】
2006254113.tif 000010
【図９】
2006254113.tif 000011